(57)【要約】【課題】  監視対象となるエリアで発生したイベントを効率良く検出し、後から検索しやすい状態で重要度を考慮して撮影データを保存する監視映像記録制御装置を提供する。【解決手段】  監視エリアで発生したイベントを種別ごとに分類するための条件を示す情報とセンサ４０−１〜４０−ｍごとの重要度と前記イベントの種別ごとの重要度の重み付け情報からなる重要度情報とを設定情報として記録する設定情報記録部２０３ｂと、センサ４０−１〜４０−ｍから取得したセンサ信号に基づいて監視エリアでイベントが発生したことを検知すると、このセンサ信号と設定情報とに基づいてイベントを種別ごとに分類して重要度を算出し、イベントの分類情報と重要度とを含む管理情報を生成し、イベントが発生したときの映像データに生成された管理情報を関連付け、この管理情報に含まれる重要度が高いものから優先的に記録するように制御するＣＰＵ２０６とを備える。【選択図】  図１
2008154228.tif 000002
【特許請求の範囲】
【請求項１】
監視エリアに設置された複数のセンサのいずれかのセンサから受信したセンサ信号に基づいて前記監視エリアで所定のイベントが発生したことを検知したときに、前記複数のセンサに対応して前記監視エリアに設けられた複数の監視カメラから供給された映像データに前記イベントに関する情報を関連付けて記録する処理を制御する監視映像記録制御装置において、
前記監視エリアで発生したイベントを種別ごとに分類するための条件を示す情報と、前記複数のセンサそれぞれの重要度および前記イベントの種別ごとの重要度の重み付け情報からなる重要度情報とを設定情報として予め記録する設定情報記録部と、
前記センサ信号に基づいて前記監視エリアでイベントが発生したことを検知すると、該センサ信号と前記設定情報記録部に記録されている設定情報とに基づいて前記イベントを種別ごとに分類するとともに、前記重要度情報から前記イベントの重要度を算出する分析部と、
前記分析部による前記イベントの分類情報と前記イベントの重要度とを含む前記イベントの管理情報を生成する管理情報生成部と、
前記イベントが発生したときの映像データに、前記管理情報生成部で生成された管理情報を関連付け、この管理情報に含まれる重要度が高いものから優先的に記録するように制御する記録制御部と、
を備えることを特徴とする監視映像記録制御装置。
【請求項２】
監視エリアに設置された複数のセンサのいずれかのセンサから受信したセンサ信号に基づいて前記監視エリアで所定のイベントが発生したことを検知したときに、前記複数のセンサに対応して前記監視エリアに設けられた複数の監視カメラから供給された映像データに前記イベントに関する情報を関連付けて記録する処理を制御する監視映像記録制御装置において、
前記監視エリアで発生したイベントを種別ごとに分類するための条件を示す情報と、前記複数センサそれぞれの重要度と、前記イベントの種別ごとの重要度の重み付け情報からなる重要度情報と、前記イベントの種別ごとに設定された前記映像データの記録先の情報とを設定情報として予め記録する設定情報記録部と、
前記センサ信号に基づいて前記監視エリアでイベントが発生したことを検知すると、該センサ信号と前記設定情報記録部に記録されている設定情報とに基づいて前記イベントを種別ごとに分類して前記重要度情報から前記イベントごとの重要度を算出するとともに、前記映像データの記録先の情報を取得する分析部と、
前記分析部による前記イベントの分類情報と、前記イベントの重要度と、前記映像データの記録先の情報とを含む前記イベントの管理情報を生成する管理情報生成部と、
前記イベントが発生したときの映像データを、前記管理情報生成部で生成された管理情報に含まれる重要度が高いものから優先的に、前記映像データの記録先の情報に従って記録するように制御する記録制御部と、
を備えることを特徴とする監視映像記録制御装置。
【請求項３】
前記設定情報記録部は、記録する前記設定情報として、前記イベントの種別ごとに設定された前記管理情報を更新する権限を有する更新権限保持者情報をさらに含み、
前記管理情報生成部で生成された管理情報を記録する管理情報記録部と、
前記管理情報記録部内に記録された一の管理情報の重要度を更新する更新指示を前記設定情報に記録された当該管理情報の更新権限保持者から取得したときには、当該管理情報を前記更新指示に従って更新する管理情報更新部と、
をさらに備えることを特徴とする請求項１または２に記載の監視映像記録制御装置。
【請求項４】
前記設定情報記録部内の設定情報に含まれる種別ごとの重要度情報を、発生したイベントが該当した回数に応じてこのイベントの重要度を更新する設定情報更新部
をさらに備えることを特徴とする請求項１〜３いずれか１項に記載の監視映像記録制御装置。
【発明の詳細な説明】
【技術分野】
【０００１】
本発明は、複数の監視カメラで撮影した監視映像を記録するための監視映像記録制御装置に関する。
【背景技術】
【０００２】
近年、オフィスビル、工場、または店舗などに監視用カメラを設置し、この監視用カメラで撮影した映像を監視および記録することにより、犯罪を防止するとともに、犯罪が発生したときの犯人の特定に用いる監視システムがある。この監視システムでは、監視カメラの高解像度化が進むに連れて記録する映像の容量が膨大になり、個々の画像をＪＰＥＧ等により圧縮符号化してもなお大容量の記録媒体が必要になっている。
【０００３】
監視カメラで撮影した映像の記録容量を制御するための技術として、特許文献１に記載のものがある。この特許文献１の技術では、監視用カメラで撮影した映像データを限られた容量の記録媒体に上書きしながら連続的に記録し、異常な事態が起こると該当する部分の映像データの上書きを禁止することで、記録媒体へ記録する映像データの記録容量を制御して自動監視を行っている。
【０００４】
このように記録媒体への記録を制御することにより、記録媒体の容量を大容量化する必要がなく、異常な事態が起こったときの映像データは消去されずに保存することができる。
【特許文献１】特開２００５−５６１９１号公報
【発明の開示】
【発明が解決しようとする課題】
【０００５】
しかし、上記の特許文献１記載の技術では、センサにより異常状態を検出したときに発生するアラーム信号を基に上書きを禁止して該当する映像データを保存するように構成されているため、異常状態の誤検出があった場合にも、実際には不必要な映像データの保存が行われることがあるという問題があった。
【０００６】
例えば、上記の監視システムはオフィスビル、工場、または店舗などの夜間や休日の非稼働時間に定期的に行われる巡回警備と併用して利用されることが多いが、このような定期的な巡回に対してもセンサが反応し、異常事態ではないにもかかわらず映像データが保存され記憶容量を消費してしまうという問題があった。
【０００７】
また、上記の誤検出を防止するために警備による巡回時間のセンサの検出処理を中止するように設定すると、この巡回時間に犯罪が発生したときの映像データが保存されないこととなってしまうという問題があった。
【０００８】
さらに、複数の異常状態が連続して発生し記録媒体の容量がオーバーしたときには、重要度に関係なく保存されている映像データが上書きされたり、新規の異常状態に関係する映像データの保存を行うことができなかったりするために、重要度の高い映像データが保存されないことがあるという問題があった。特に長期にわたりこの自動監視が行われるときに、この問題が発生する可能性が高かった。
【０００９】
さらにまた、異常状態が発生したときに保存される映像データが複数あったときに、再生時に映像データを検索する際の処理が煩雑になるという問題があった。
【００１０】
そこで本発明は、上記問題に鑑みてなされたものであり、監視対象となるエリアで発生したイベントを効率良く検出し、後から検索しやすい状態で重要度を考慮して撮影データを保存する監視映像記録制御装置を提供することを目的とする。
【課題を解決するための手段】
【００１１】
上記目的を達成するための本発明の監視映像記録制御装置（２０）は、監視エリアに設置された複数のセンサ（４０−１〜４０−ｍ）のいずれかのセンサから受信したセンサ信号に基づいて前記監視エリアで所定のイベントが発生したことを検知したときに、前記複数のセンサ（４０−１〜４０−ｍ）に対応して前記監視エリアに設けられた複数の監視カメラ（１０−１〜１０−ｎ）から供給された映像データに前記イベントに関する情報を関連付けて記録する処理を制御するものであり、前記監視エリアで発生したイベントを種別ごとに分類するための条件を示す情報と、前記複数のセンサ（４０−１〜４０−ｍ）それぞれの重要度および前記イベントの種別ごとの重要度の重み付け情報からなる重要度情報とを設定情報として予め記録する設定情報記録部（２０３ｂ）と、前記センサ信号に基づいて前記監視エリアでイベントが発生したことを検知すると、該センサ信号と前記設定情報記録部（２０３ｂ）に記録されている設定情報とに基づいて前記イベントを種別ごとに分類するとともに、前記重要度情報から前記イベントの重要度を算出する分析部（２０６）と、前記分析部（２０６）による前記イベントの分類情報と前記イベントの重要度とを含む前記イベントの管理情報を生成する管理情報生成部（２０６）と、前記イベントが発生したときの映像データに、前記管理情報生成部（２０６）で生成された管理情報を関連付け、この管理情報に含まれる重要度が高いものから優先的に記録するように制御する記録制御部（２０６）とを備えることを特徴とする。
【００１２】
また、他の形態の監視映像記録制御装置（２０）は、監視エリアに設置された複数のセンサ（４０−１〜４０−ｍ）のいずれかのセンサから受信したセンサ信号に基づいて前記監視エリアで所定のイベントが発生したことを検知したときに、前記複数のセンサ（４０−１〜４０−ｍ）に対応して前記監視エリアに設けられた複数の監視カメラ（１０−１〜１０−ｎ）から供給された映像データに前記イベントに関する情報を関連付けて記録する処理を制御するものであり、前記監視エリアで発生したイベントを種別ごとに分類するための条件を示す情報と、前記複数センサ（４０−１〜４０−ｍ）それぞれの重要度と、前記イベントの種別ごとの重要度の重み付け情報からなる重要度情報と、前記イベントの種別ごとに設定された前記映像データの記録先の情報とを設定情報として予め記録する設定情報記録部（２０３ｂ）と、前記センサ信号に基づいて前記監視エリアでイベントが発生したことを検知すると、該センサ信号と前記設定情報記録部（２０３ｂ）に記録されている設定情報とに基づいて前記イベントを種別ごとに分類して前記重要度情報から前記イベントごとの重要度を算出するとともに、前記映像データの記録先の情報を取得する分析部（２０６）と、前記分析部（２０６）による前記イベントの分類情報と、前記イベントの重要度と、前記映像データの記録先の情報とを含む前記イベントの管理情報を生成する管理情報生成部（２０６）と、前記イベントが発生したときの映像データを、前記管理情報生成部（２０６）で生成された管理情報に含まれる重要度が高いものから優先的に、前記映像データの記録先の情報に従って記録するように制御する記録制御部（２０６）とを備えることを特徴とする。
【００１３】
また、これらの監視映像記録制御装置（２０）の前記設定情報記録部（２０３ｂ）は、記録する前記設定情報として、前記イベントの種別ごとに設定された前記管理情報を更新する権限を有する更新権限保持者情報をさらに含み、前記管理情報生成部（２０６）で生成された管理情報を記録する管理情報記録部（２０３ｃ）と、前記管理情報記録部（２０３ｃ）内に記録された一の管理情報の重要度を更新する更新指示を前記設定情報に記録された当該管理情報の更新権限保持者から取得したときには、当該管理情報を前記更新指示に従って更新する管理情報更新部（２０６）とをさらに備えるようにしてもよい。
【００１４】
また、これらの監視映像記録制御装置（２０）は、前記設定情報記録部（２０３ｂ）内の設定情報に含まれる種別ごとの重要度情報を、発生したイベントが該当した回数に応じてこのイベントの重要度を更新する設定情報更新部（２０６）をさらに備えるようにしてもよい。
【発明の効果】
【００１５】
本発明の監視映像記録制御装置によれば、監視対象となるエリアで発生したイベントを効率良く検出することができると共に、後から検索しやすい状態で重要度の高い撮影データから優先的に保存することができる。
【発明を実施するための最良の形態】
【００１６】
《第１実施形態》
〈第１実施形態による監視システムの構成〉
本発明の第１実施形態である監視映像記録制御装置が適用された監視映像処理装置２０を利用した監視システム１の構成を、図１を参照して説明する。
【００１７】
本実施形態による監視システム１は、ｎ台（ｎは２以上の整数）の監視カメラ１０−１〜１０−ｎと、監視映像処理装置２０と、監視用モニタ３０と、ｍ台（ｍは２以上の整数）のセンサ（異常検出センサ）４０−１〜４０−ｍとを有する。
【００１８】
監視カメラ１０−１〜１０−ｎは、監視対象の設備内の各監視エリアに設置され、それぞれの監視エリアを撮影してアナログ映像信号を出力するビデオカメラであり、撮影した監視映像のアナログ映像信号を監視映像処理装置２０に送信する。
【００１９】
監視映像処理装置２０は、入力信号処理部２０１と、圧縮処理部２０２と、記録部２０３と、入力部２０４と、時刻情報管理部２０５と、ＣＰＵ（Central Processing Unit）２０６と、伸張処理部２０７と、出力信号処理部２０８とを有する。
【００２０】
入力信号処理部２０１は、監視カメラ１０−１〜１０−ｎから送信されたアナログ映像信号を受信してＡ／Ｄ変換を行い、監視映像データを出力する。圧縮処理部２０２は、入力信号処理部２０１でＡ／Ｄ変換された監視映像データをＪＰＥＧ方式などの圧縮方式によって圧縮処理して符号化データを生成する。
【００２１】
記録部２０３は、監視映像記録部２０３ａと、設定情報記録部２０３ｂと、管理情報記録部２０３ｃとを有する。
【００２２】
監視映像記録部２０３ａは、圧縮処理部２０２で圧縮処理された符号化データを、ＣＰＵ２０６の制御により所定の領域に記録する。
【００２３】
設定情報記録部２０３ｂは、センサ４０−１〜４０−ｍから送信される信号に基づいてイベントが発生したことが検知されたときに、検知されたイベントを分類するための情報、例えば、イベントが異常により発生したものではなく定期巡回によるものであることを判定するための定期巡回情報や、監視対象の施設に入室が許可された人（社員、警備員等）が入室したことにより発生したものであることを判定するための入室者識別情報等と、センサ４０−１〜４０−ｍごとの重要度およびイベントの種別ごとの重要度の重み付け情報からなる重要度情報とを、設定情報として記録する。
【００２４】
管理情報記録部２０３ｃは、過去に検知されたイベントに関する情報、例えばイベントの発生が検知されたセンサ信号の発信元のセンサの識別情報、イベントの発生時刻情報、イベントが分類されたことにより該当した設定情報の識別情報、当該イベントの重要度等からなる管理情報を記録する。
【００２５】
入力部２０４は、ユーザの操作により、設定情報記録部２０３ｂに記録する設定情報や、記録部２０３の監視映像記録部２０３ａに記録された符号化データを再生させる指示など監視映像処理装置２０を動作させる指示を入力する。時刻情報管理部２０５は、時計機能により、現在時刻を計時する。
【００２６】
ＣＰＵ２０６（分析部）は、センサ４０−１〜４０−ｍから送信されるセンサ信号に基づいて、ドアの開閉や施設への人物の入室などのイベントの発生の有無を検知し、イベントが発生したことを検知したときには、設定情報記録部２０３ｂに記録されている設定情報と、時刻情報管理部２０５で計時されている現在時刻と、センサ信号から取得されるセンサの識別情報とに基づいてこのイベントを種別ごとに分類するとともに、設定情報に含まれる重要度情報からこのイベントの重要度を算出する。
【００２７】
また、ＣＰＵ２０６（管理情報生成部）は、イベントを分類し重要度を算出すると、このイベントが分類されたことにより該当した設定情報やイベントの重要度からなるイベントごとの管理情報を生成して管理情報記録部２０３ｃに記録するよう制御する。
【００２８】
また、ＣＰＵ２０６（記録制御部）は、生成した管理情報を圧縮処理部２０２から取得した符号化データに付加情報として関連付けると共に、既に記録された符号化データに関連づけられた管理情報と比較することで、重要度が高い符号化データから優先的に監視映像記録部２０３ａ内の記録領域を決定し、記録するよう制御する。
【００２９】
また、ＣＰＵ２０６（設定情報更新部）は、設定情報記録部２０３ｂ内の設定情報に含まれる種別ごとの重要度情報を、発生したイベントが該当した回数に応じてこのイベントの重要度を更新する。
【００３０】
さらにまた、ＣＰＵ２０６は、符号化データを再生させる指示信号をユーザの操作により入力部２０４から取得すると、監視映像記録部２０３ａに記録されている該当する符号化データを取得して伸張処理部２０７に送出する。
【００３１】
伸張処理部２０７は、ＣＰＵ２０６から取得した符号化データを映像データに伸張処理して出力信号処理部２０８に送出する。出力信号処理部２０８は、伸張処理部２０７から取得した映像データを、出力する監視用モニタ３０の入力フォーマットに合わせた方式、例えばＮＴＳＣ信号方式等に変換する。
【００３２】
監視用モニタ３０は、出力信号処理部２０８から取得した映像データを表示する。
【００３３】
センサ４０−１〜４０−ｍは、ドアの開閉を検知するセンサ、入室者が所持するＩＤタグ等から取得される入室者の識別情報を取得するセンサなどであり、検知または取得した情報を監視映像処理装置２０のＣＰＵ２０６に送信する。
【００３４】
〈第１実施形態による監視システムの動作〉
次に、本実施形態による監視システム１において監視カメラ１０−１〜１０−ｎで撮影した映像を記録するときの監視映像処理装置２０の動作を、図２のフローチャートを参照して説明する。
【００３５】
本実施形態においては、予め図３に示すような複数の設定情報が設定情報記録部２０３ｂに記録されているものとする。設定情報は、センサ４０−１〜４０−ｍのいずれかから送信される信号に基づいてイベントが発生したことが検知されたときに、検知されたイベントが異常によるものであるか否かを判定させるための情報であり、図３においては、設定情報を識別する情報である「設定情報ＩＤ」、設定情報の分類を示す情報である「種別」、該当するセンサの識別情報である「センサＩＤ」、各センサ自体の10段階による重要度を示す情報である「センサ重要度」、分類するための対象となる時間情報を示す情報である「予定時刻」、該当するセンサに対応するカメラの識別情報である「カメラＩＤ」、センサ重要度に設定情報ごとの重み付けをするための係数である「重要度付加係数」（初期値＝１）が記録されている。
【００３６】
同図における「設定情報(1)」は、監視対象の施設内に入室する人を監視するための設定情報であり、この施設の入り口のゲート(1)に設置されたセンサ４０−１により受信される、このゲート(1)を通過する人が所持するカードなどから発信される識別ＩＤのうち、入室を許可する識別ＩＤが設定されている。ここでは、識別ＩＤ「abc123」および「def456」が、入室を許可する識別ＩＤとして設定されているものとする。
【００３７】
またこの設定情報(1)において、センサ４０−１の重要度を示すランクが最高レベルの「１０」に設定されており、またこの設定情報(1)において、ゲート(1)付近を監視するカメラとして監視カメラ１０−１が設定されている。
【００３８】
また、設定情報(2)は定期巡回であることを識別するための設定情報であり、ドア(1)の開閉を検知するセンサ４０−２により取得される入退室情報が定期巡回によるものであるか否かを判定するための時刻範囲が設定されている。ここでは、時刻「12:00〜12:05」のドア(1)の入退室情報を定期巡回によるものとして判定するための情報として設定されているものとする。
【００３９】
またこの設定情報(2)において、センサ４０−２の重要度を示すランクが「５」に設定されており、またこの設定情報(2)において、ドア(1)付近を監視するカメラとして監視カメラ１０−２が設定されている。
【００４０】
さらに、設定情報(3)も定期巡回であることを識別するための設定情報であり、ドア(2)の開閉を検知するセンサ４０−３、ドア(3)の開閉を検知するセンサ４０−４、ドア(3)付近に設置された温度センサであるセンサ４０−５により取得される人物の入室情報が定期巡回によるものであるか否かを判定するための時刻範囲が設定されている。ここでは、センサ４０−３における時刻「23:00〜23:05」の入退室情報、センサ４０−４における時刻「23:05〜23:10」の入退室情報、センサ４０−５における時刻「23:00〜23:15」の人物の入室情報が定期巡回によるものとして判定するための情報として設定されているものとする。
【００４１】
また、この設定情報(3)で監視するセンサ４０−３の重要度は最低レベルの「１」に設定され、センサ４０−４の重要度は「３」に設定され、センサ４０−５の重要度は「３」に設定され、またこの設定情報(3)において、ドア(2)付近を監視するカメラとして監視カメラ１０−３が設定され、ドア(3)付近を監視するカメラとして監視カメラ１０−４が設定されている。
【００４２】
また、これらの設定情報(1)〜(3)に該当しない符号化データに対応付けられる設定情報ＩＤとして、「規定」が設けられている。
【００４３】
このように設定情報が記録された状態で、まず、監視カメラ１０−１〜１０−ｎで撮影された監視エリアの映像の映像信号が監視映像処理装置２０に送信されると、入力信号処理部２０１に入力され、それぞれ映像データにＡ／Ｄ変換される。
【００４４】
そして、Ａ／Ｄ変換された複数の監視カメラによる映像データは、公知技術により一画面分のフレームメモリ上に分割してマッピングされるかまたは時系列的な多重化処理が行われることにより、複数の監視カメラで撮影された映像が一画面上に表示されるように入力信号処理部２０１において処理が行われる（Ｓ１）。
【００４５】
入力信号処理部２０１においてこれらの処理が行われた映像データは、圧縮処理部２０２でＪＰＥＧ方式などの圧縮方式によって圧縮処理され、符号化データが生成される（Ｓ２）。
【００４６】
圧縮処理部２０２で符号化データが生成されると、ＣＰＵ２０６の制御により時刻情報管理部２０５から現在時刻が取得され、生成された符号化データにこの現在時刻および撮影が行われている各監視カメラの識別情報が付加され、記録部２０３の監視映像記録部２０３ａ内のイベントが検知されていないときの映像データが記録される領域に記録される。記録される際は、古いデータから順次上書き処理されることにより記録される（Ｓ３）。このとき記録される符号化データは、一定時間あるいはデータサイズごとに分割され、順次生成されるファイルデータとして記録される。
【００４７】
このようにして連続的に監視カメラ１０−１〜１０−ｎで撮影された映像の符号化データが監視映像記録部２０３ａに記録されている間、ＣＰＵ２０６ではセンサ４０−１〜４０−ｍから送信されるセンサ信号が取得され、このセンサ信号に基づいてドアの開閉や施設への人物の入室などのイベントの発生が検知されたか否かが監視される（Ｓ４）。
【００４８】
ＣＰＵ２０６においてイベントの発生が検知されたときには（Ｓ４の「YES」）、設定情報から算出される当該イベント重要度に基づいて管理情報および符号化データが記録される（Ｓ５）。
【００４９】
センサ４０−１〜４０−ｍのいずれかから取得したセンサ信号に基づいてイベントの発生が検知されたときにＣＰＵ２０６で実行される重要度に基づいた記録制御処理について、図４のフローチャートを参照して説明する。
【００５０】
ＣＰＵ２０６において、センサ信号に基づいてイベントの発生が検知されると（Ｓ１１）、時刻情報管理部２０５で計時されている現在時刻（年月日含む）がイベント発生時刻情報として取得されるとともに、当該センサ信号から送信元のセンサを識別するセンサＩＤと、イベントの内容情報（ドアの開閉、人の入室など）とが取得される（Ｓ１２）。ここでは、取得されたイベント発生時刻情報が「2007.03.04 12:03」、センサＩＤが「ドア(1)」、イベント内容が「ドアの開閉」であることが取得されたものとする。
【００５１】
これらの情報が取得されると、設定情報記録部２０３ｂに記録されている図３の各設定情報と比較され、発生したイベントに該当する設定情報があるか否かが判定される（Ｓ１３）。
【００５２】
判定の結果、図３の中の設定情報ＩＤ「設定情報(2)」（予定時刻「12：00〜12：05」、センサＩＤ「ドア(1)」、イベントの種別「定期巡回(1)」）が発生したイベントに該当する設定情報であり（Ｓ１３の「YES」）、異常によるイベントではないと判定される（Ｓ１４）。
【００５３】
そして次に、この設定情報ＩＤ「設定情報(2)」に関する管理情報が管理情報記録部２０３ｃ内にあるか否かが判定される（Ｓ１５）。ここでは管理情報記録部２０３ｃに設定情報ＩＤ「設定情報(2)」に関する管理情報はないと判定され（Ｓ１５の「NO」）、この設定情報ＩＤ「設定情報(2)」と、センサＩＤ「ドア(1)」と、イベント発生時刻情報「2007.03.04 12:03」と、当該イベントの重要度（「センサ重要度」に「重要度付加係数」を掛け合わせた値）「５」とからなる「管理情報(1)」が生成され、図５（Ａ）に示すように管理情報記録部２０３ｃに記録される（Ｓ１６）。
【００５４】
次に、記録部２０３の監視映像記録部２０３ａに、発生したイベントの符号化データを含むファイルデータが記録可能な残存容量があるか否かが判定される（Ｓ１７）。ここでは発生したイベントの符号化データを含むファイルデータが記録可能な残存容量があると判定され（Ｓ１７の「YES」）、このファイルデータが監視映像記録部２０３ａに記録される（Ｓ１８）。ここで、記録されるファイルデータには、ステップＳ１６で生成された「管理情報(1)」が付加される。
【００５５】
このように、「管理情報(1)」およびこれに該当する符号化データが記録された状態で、新たにイベントの発生が検知されると（Ｓ１１）、上述した場合と同様にステップＳ１２においてイベント発生時刻情報「2007.03.18 12:05」と、センサＩＤ「ドア(1)」と、イベントの内情情報「ドアの開閉」とが取得され、今回も設定情報ＩＤ「設定情報(2)」に該当するイベントであると判定されたものとする（Ｓ１３、Ｓ１４）。
【００５６】
ここでは、前回の記録時のステップＳ１６の処理により管理情報記録部２０３ｃに設定情報ＩＤ「設定情報(2)」に関する管理情報が記録されているため（Ｓ１５の「YES」）、新たな「管理情報(2)」が生成され記録されるとともに、設定情報の中の「設定情報(2)」の「重要度付加係数」および管理情報の中の「重要度」が更新される（Ｓ１９）。
【００５７】
ここで、管理情報に「管理情報(2)」が追加され、「重要度」が更新された状態の例を、図５（Ｂ）に示す。図５（Ｂ）以降の例では、説明を簡略化するため、またイベントの回数によって重要度が変化する様子をわかりやすくするために、単純にイベントの回数を加算した数の逆数をもともとの重要度に掛けることで重要度を求めるとして説明する。設定情報の「重要度付加係数」は、初期値である「１」に、イベントに該当すると判定された回数が加算された数の逆数に更新される。このように定期的に発生するイベントに関する設定情報が更新されることにより、該当するイベント発生が検知される回数が多くなる程、イベントの重要度が低くなる。
【００５８】
ここでは「設定情報(2)」の「重要度付加係数」は、初期値である「１」に、当該イベントに該当すると今回判定されたことにより「１」が加算された「２」の逆数である「１／２＝０．５」に更新される。
【００５９】
このように、設定情報の「重要度付加係数」が更新されると、これに伴い管理情報内の「管理情報(1)」および「管理情報(2)」の「重要度」が更新される。ここでは「ドア(1)」の「センサ重要度：５」に、更新された「重要度付加係数：０．５」が掛け合わされ、記録された「管理情報(1)」および「管理情報(2)」の重要度が「５」から「２．５」に更新される。
【００６０】
次に、今回も監視映像記録部２０３ａには発生したイベントの符号化データを含むファイルデータが記録可能な残存容量があると判定され（Ｓ１７の「YES」）、「管理情報(2)」が付加されたファイルデータが記録される。
【００６１】
このように「管理情報(1)」、「管理情報(2)」、およびこれらに該当する符号化データが記録された状態で、新たにイベントの発生が検知されると（Ｓ１１）、上述した場合と同様にイベント発生時刻情報と、センサＩＤと、イベントの内容情報とが取得される（Ｓ１２）。
【００６２】
ここでは、取得されたイベント発生時刻情報が「2007.03.24 23:07」、センサＩＤが「ドア(3)」、イベント内容が「ドアの開閉」であることが取得されたものとし、設定情報ＩＤ「設定情報(3)」のセンサＩＤ「ドア(3)」に該当するイベントであると判定されたものとする（Ｓ１３、Ｓ１４）。
【００６３】
そして、この設定情報ＩＤ「設定情報(3)」に関する管理情報が管理情報記録部２０３ｃ内にないと判定され（Ｓ１５の「NO」）、この設定情報ＩＤ「設定情報(3)」と、センサＩＤ「ドア(3)」と、イベント発生時刻情報「2007.03.24 23:07」と、当該イベントの重要度（「センサ重要度」に「重要度付加係数」を掛け合わせた値）「３」とからなる「管理情報(3)」が生成され、図５（Ｃ）に示すように管理情報記録部２０３ｃに記録される（Ｓ１６）。
【００６４】
ここで、初期値ではセンサ自体の重要度は「ドア(1)」のほうが「ドア(3)」よりも高いが、上述した「重要度付加係数」および「重要度」の更新により、該当するイベントが複数回検知された「設定情報(2)」に関する「管理情報(1)」および「管理情報(2)」の「重要度：２．５」のほうが「設定情報(3)」に関する「管理情報(3)」の「重要度：３」よりも低くなり逆転している。
【００６５】
次に、今回も監視映像記録部２０３ａには発生したイベントの符号化データを含むファイルデータが記録可能な残存容量があると判定され（Ｓ１７の「YES」）、「管理情報(3)」が付加されたファイルデータが記録される。
【００６６】
このように「管理情報(1)」〜「管理情報(3)」およびこれらに該当する符号化データが記録された状態で、新たにイベントの発生が検知されると（Ｓ１１）、上述した場合と同様に発生時刻情報と、センサＩＤと、イベントの内情情報とが取得される（Ｓ１２）。
【００６７】
ここでは、取得されたイベント発生時刻情報が「2007.03.25 12:02」、センサＩＤが「ドア(1)」、イベント内容が「ドアの開閉」であることが取得されたものとし、設定情報ＩＤ「設定情報(2)」に該当するイベントであると判定されたものとする（Ｓ１３、Ｓ１４）。
【００６８】
ここでは、管理情報記録部２０３ｃに設定情報ＩＤ「設定情報(2)」に関する管理情報が記録されているため（Ｓ１５の「YES」）、新たな「管理情報(4)」が生成され記録されるとともに、設定情報の中の「設定情報(2)」の「重要度付加係数」と、管理情報の中の「設定情報(2)」に関する管理情報である「管理情報(1)」、「管理情報(2)」、「管理情報(4)」の「重要度」とが更新される（Ｓ１９）。
【００６９】
ここで、管理情報に「管理情報(4)」が追加され、重要度が更新された状態の例を、図５（Ｄ）に示す。設定情報の「設定情報(2)」の「重要度付加係数」は、初期値である「１」に、当該イベントに該当すると今回判定されたことにより検知された回数である「２」が加算された「３」の逆数である「１／３≒０．３３」に更新される。
【００７０】
このように設定情報の「重要度付加係数」が更新されると、これに伴い「ドア(1)」の「センサ重要度：５」に、更新された「重要度付加係数：０．３３」が掛け合わされ、「管理情報(1)」、「管理情報(2)」、「管理情報(4)」の重要度が「２．５」から「１．７」に更新される。
【００７１】
次に、記録部２０３の監視映像記録部２０３ａに、発生したイベントを含む符号化データが記録可能な残存容量があるか否かが判定される（Ｓ１７）。
【００７２】
ここでは発生したイベントを含む符号化データが記録可能な残存容量がないと判定され（Ｓ１７の「NO」）、記録済みのデータの中に、重要度が今回生成された「管理情報(4)」の重要度「１．７」以下の値の管理情報があるか否かが判定される（Ｓ２０）。
【００７３】
ここでは、「管理情報(4)」の重要度「１．７」と同値の重要度の管理情報である「管理情報(1)」および「管理情報(2)」があり、これらのうち最もイベント発生時刻が古いデータである「管理情報(1)」に対応するファイルデータが上書きされる対象のデータとして選択され、このファイルデータ上に今回発生したイベントの符号化データを含むファイルデータが「管理情報(4)」とともに記録される（Ｓ２１）。
【００７４】
「管理情報(1)」に対応するファイルデータが上書きにより削除されたことで管理情報内の「管理情報(1)」の情報も削除される。
【００７５】
管理情報内の「管理情報(1)」の情報が削除されると、「設定情報(2)」に該当するイベントの検知回数が「３」から「２」に変更され、設定情報内の「重要度付加係数」が「０．３３」から「０．５」に更新され、これに伴い、管理情報内の「設定情報(2)」に対応する管理情報である「管理情報(2)」および「管理情報(4)」の「重要度」が「１．７」から「２．５」に更新される（Ｓ２２）。
【００７６】
このように「管理情報(1)」〜「管理情報(4)」およびこれらに該当する符号化データが記録された状態で、新たにイベントの発生が検知されると（Ｓ１１）、上述した場合と同様に発生時刻情報と、センサＩＤと、イベントの内容情報とが取得される（Ｓ１２）。
【００７７】
ここでは、取得されたイベント発生時刻情報が「2007.03.26 23:08」、センサＩＤが「ドア(3)」、イベント内容が「ドアの開閉」であることが取得されたものとし、設定情報ＩＤ「設定情報(3)」の「ドア(3)」に該当するイベントであると判定されたものとする（Ｓ１３、Ｓ１４）。
【００７８】
ここでは、管理情報記録部２０３ｃに設定情報ＩＤ「設定情報(3)」に関する管理情報が記録されているため（Ｓ１５の「YES」）、新たな「管理情報(5)」が生成され記録されるとともに、設定情報の中の「設定情報(3)」の「重要度付加係数」と、管理情報の中の「設定情報(3)」に関する管理情報である「管理情報(3)」、「管理情報(5)」の「重要度」とが更新される（Ｓ１９）。
【００７９】
ここで、管理情報に「管理情報(5)」が追加され、重要度が更新された状態の例を、図５（Ｅ）に示す。設定情報の「設定情報(3)」の「重要度付加係数」は、初期値である「１」に、当該イベントに該当すると今回判定されたことにより「１」が加算された「２」の逆数である「１／２＝０．５」に更新される。
【００８０】
このように設定情報の「重要度付加係数」が更新されると、これに伴い「ドア(3)」の「センサ重要度：３」に、更新された「重要度付加係数：０．５」が掛け合わされ、「管理情報(3)」、「管理情報(5)」の重要度が「３」から「１．５」に更新される。
【００８１】
次に、記録部２０３の監視映像記録部２０３ａに、発生したイベントを含む符号化データが記録可能な残存容量があるか否かが判定される（Ｓ１７）。
【００８２】
ここでは発生したイベントを含む符号化データが記録可能な残存容量がないと判定され（Ｓ１７の「NO」）、記録済みのデータの中に、重要度が今回生成された「管理情報(5)」の重要度「１．５」以下の値の管理情報があるか否かが判定される（Ｓ２０）。
【００８３】
ここでは、「管理情報(5)」の重要度「１．５」と同値の重要度の管理情報である「管理情報(3)」があり、発生時刻が「管理情報(5)」よりも古いデータである「管理情報(3)」に対応するファイルデータが上書きされる対象のデータとして選択され、このファイルデータ上に今回発生したイベントの符号化データを含むファイルデータが「管理情報(5)」とともに記録される（Ｓ２１）。
【００８４】
「管理情報(3)」に対応するファイルデータが上書きにより削除されたことで管理情報内の「管理情報(3)」の情報も削除される。
【００８５】
管理情報内の「管理情報(3)」の情報が削除されると、「設定情報(3)」に該当するイベントの検知回数が「２」から「１」に変更され、設定情報内の「重要度付加係数」が「０．５」から「１」に更新され、これに伴い、管理情報内の「設定情報(3)」に対応する管理情報である「管理情報(5)」の「重要度」が「１．５」から「３」に更新される（Ｓ２２）。
【００８６】
このように「管理情報(1)」〜「管理情報(5)」およびこれらに該当する符号化データが記録された状態で、新たにイベントの発生が検知されると（Ｓ１１）、上述した場合と同様に発生時刻情報と、センサＩＤと、イベントの内情情報とが取得される（Ｓ１２）。
【００８７】
ここでは、取得されたイベント発生時刻情報が「2007.03.27 22:05」、センサＩＤが「ドア(1)」、イベント内容が「ドアの開閉」であることが取得されたものとし、記録された設定情報のいずれにも該当しないイベントであると判定されたものとする（Ｓ１３の「NO」）。
【００８８】
ここでは、設定情報に該当しないイベントであるため、該当するセンサＩＤ「ドア(1)」と、イベント発生時刻情報「2007.03.27 22:05」と、当該イベントの重要度（センサ重要度）「５」とからなる「管理情報(6)」が生成され、図５（Ｆ）に示すように管理情報記録部２０３ｃに記録される（Ｓ１６）。
【００８９】
「管理情報(6)」は設定情報に該当しないため異常の度合いが高いと判断され、この「管理情報(5)」に該当する符号化データは重要度に関係なく上書き禁止の状態で優先的に記録される。
【００９０】
次に、記録部２０３の監視映像記録部２０３ａに、発生したイベントを含む符号化データが記録可能な残存容量があるか否かが判定される（Ｓ１７）。
【００９１】
ここでは発生したイベントを含む符号化データが記録可能な残存容量がないと判定され（Ｓ１７の「NO」）、記録済みのデータの中に、重要度が今回生成された「管理情報(4)」の重要度「５」以下の値の管理情報があるか否かが判定される（Ｓ２０）。
【００９２】
ここでは、「管理情報(2)」および「管理情報(4)」の重要度が「２．５」で最も低く、これらのうち「管理情報(2)」のほうのイベント発生時刻情報が古いため、「管理情報(2)」に対応するファイルデータが上書きされる対象のデータとして選択され、このファイルデータ上に今回発生したイベントの符号化データを含むファイルデータが「管理情報(6)」とともに記録される（Ｓ２１）。
【００９３】
「管理情報(2)」に対応するファイルデータが上書きにより削除されたことで管理情報内の「管理情報(2)」の情報も削除される。
【００９４】
管理情報内の「管理情報(2)」の情報が削除されると、「設定情報(2)」に該当するイベントの検知回数が「２」から「１」に変更され、設定情報内の「重要度付加係数」が「０．５」から「１」に更新され、これに伴い、管理情報内の「設定情報(2)」に対応する管理情報である「管理情報(4)」の「重要度」が「２．５」から「５」に更新される（Ｓ２２）。
【００９５】
また、ステップＳ２０において、記録済みのデータの中に今回作成された管理情報の重要度よりも高い重要度の管理情報しかないと判断されたときには、今回作成された管理情報およびこの管理情報に対応する符号化データを含むファイルデータは記録されず記録停止処理が行われる（Ｓ２３）。
【００９６】
今回作成された管理情報およびこの管理情報の符号化データを含むファイルデータの記録が停止されたときは、今回作成された管理情報は削除され、これに伴い管理情報記録部２０３ｃ内の情報が更新される。
【００９７】
以上で、本実施形態による監視システム１において、監視カメラ１０−１〜１０−ｎで撮影した映像を記録するときの動作の説明を終了する。
【００９８】
次に、ユーザによる入力部２０４の操作により、上述した処理で記録部２０３の監視映像記録部２０３ａに記録された映像が再生される際の処理について説明する。
【００９９】
監視映像処理装置２０では、上述したように監視映像の記録を行うとともに、ユーザから再生指示が入力されたか否かを監視している。
【０１００】
再生させる映像データがユーザにより記録部２０３の監視映像記録部２０３ａ内から選択される際は、記録された符号化データに関連付けられているセンサＩＤ、イベント発生時刻情報、イベント内容情報などが参照され、再生指示が入力される。
【０１０１】
入力部２０４から再生指示が入力されると、ＣＰＵ２０６においてこの再生指示による再生指示信号が取得され、該当する監視映像の符号化データを含むファイルデータが監視映像記録部２０３ａから読み出される。
【０１０２】
読み出されたファイルデータは伸張処理部２０７において伸張処理が行われて復号された映像データが生成され、出力信号処理部２０８において出力する監視用モニタ３０の入力フォーマットに合わせて例えばＮＴＳＣ信号方式等に変換される。
【０１０３】
このとき、ＣＰＵ２０６の制御によって読み出された監視映像のファイルデータに付加されている付加情報がキャラクタデータとして監視映像データに多重化されスーパーインポーズさせるための処理が行われて出力信号処理部２０８に送出されるようにしてもよい。
【０１０４】
出力信号処理部２０８から出力された映像データは、監視用モニタ３０に送出され表示される。
【０１０５】
以上の本実施形態の監視システム１によれば、予め設定された設定情報を利用することにより、検知したイベントが異常によるものか否かを効率的に判定でき、また、イベントが発生したときに記録する映像データには、イベントが発生したことが検知された信号の発信元のセンサの識別情報、イベント発生時刻情報、およびイベントの内容情報等が付加されるため再生する際の検索を容易に行うことができ、さらに、センサ４０−１〜４０−ｍごとに設定された重要度と、設定情報ごとに該当するイベントであることが検知された回数とに基づいて変化する重要度により、記録媒体の容量を有効に活用しつつ重要度の高いイベントに関する映像データから優先的に記録することができる。
【０１０６】
さらに、発生したイベントの内容を確認するために記録済みの映像データを再生する際に、前記の重要度を利用することで効率の良い確認を行うことができる。
【０１０７】
なお、本実施形態においては個々の管理情報にそれぞれ重要度を設定した場合について説明したが、設定情報の内容により管理情報をグループ化し、このグループ化された管理情報に該当することが検知された回数とセンサ自体の重要度とにより、グループされた管理情報の重要度が設定されるようにしてもよい。この場合、記録済みのデータについてもフォルダ分けなどによりグループ化し、同じフォルダ内では記録日時が新しいデータの重要度を高くして扱うことで、設定情報および管理情報の管理を簡略化することができ好適である。
【０１０８】
また、設定情報に該当しないイベントが発生したときは、該当するセンサ重要度をそのまま管理情報の重要度として扱うことで、設定情報に該当するイベントよりも重要度が高くなり、適正に管理することが可能となる。
【０１０９】
また、あらかじめ各設定情報内に上書き記録が可能な頻度に関する項目を設定しておき、これに従って効率良く記録が行われるようにしてもよい。
【０１１０】
例えば、定期巡回の映像データの上書き可能頻度を１週間に設定しておき、重要度の判断を行う際に管理情報に記録されている前回時刻の項目の内容と比較し、１週間前の定期巡回の映像データが保存されている領域に最新の巡回警備の映像データを順次上書きすることで、所定期間の最新の巡回警備の映像データを限られた記憶容量で保存することができる。
【０１１１】
また、本実施形態においてはイベントが発生しない通常の場合には、管理情報を作成せず上書き記録を行う場合について説明したが、通常の場合にもセンサ情報や重要度などのイベントに関連する項目が存在しない管理情報を作成し、イベント発生時の場合と共通の処理を行うことで、装置全体の処理を簡略化するようにしてもよい。
【０１１２】
また、前述の重要度に有効な値が設定されていない場合は、重要度を一様に最低ランクとして扱い、発生時刻などその他の項目で上書きの優先順位をつけることで、処理全体の整合性を保つようにしてもよい。
【０１１３】
さらに、通常状態の記録済みのファイルデータについても、ファイルデータ内の管理情報の部分のみを変更することで、管理者による重要度の変更が容易になり好適である。
【０１１４】
《第２実施形態》
本発明の第２実施形態による監視システムは、監視映像処理装置２０のＣＰＵ２０６の制御により符号化データを記録部２０３の監視映像記録部２０３ａに記録する際の記録領域の情報を管理情報に記録することで、管理情報を個々の符号化データに多重することなく一括して管理し、重要度を判定する際や再生する符号化データを検索する際の効率を高めるものである。
【０１１５】
〈第２実施形態による監視システムの構成〉
本実施形態による監視映像処理装置２０の構成は第１実施形態と同様であるため、同一の機能を有する処理部については詳細な説明は省略する。第１実施形態と異なる機能は以下のとおりである。
【０１１６】
ＣＰＵ２０６（分析部、管理情報生成部）は、イベントが発生したことを検知したときには、このイベントを種別ごとに分類するとともに設定情報に含まれる重要度情報からこのイベントの重要度を算出し、さらにこのイベントの種別および重要度に基づいてこのイベントを含む符号化データを含むファイルデータの記録領域情報を生成し、このイベントが分類されたことにより該当した設定情報、イベントの重要度、および当該ファイルデータの記録領域情報からなる管理情報を生成して管理情報記録部２０３ｃに記録する。
【０１１７】
また、ＣＰＵ２０６（記録制御部）は、生成した記録領域情報に従ってファイルデータが監視映像記録部２０３ａに記録されるように制御する。
【０１１８】
記録部２０３の監視映像記録部２０３ａは、イベントが発生していない通常状態のときの符号化データを記録する領域、設定情報に該当しないイベントが発生したときの符号化データを記録する領域、設定情報に該当するイベントが発生したときの符号化データを種別ごとに記録する領域等に分類された記録領域を有する。
【０１１９】
〈第２実施形態による監視システムの動作〉
次に、本実施形態による監視システム１の動作について説明する。
【０１２０】
本実施形態においては設定情報として、図３に示した情報に加え、設定情報ＩＤごとの監視映像記録部２０３ａ内の符号化データを含むファイルデータを記録するフォルダを指定する「記録領域ＩＤ」が記録されている。
【０１２１】
本実施形態における設定情報の例を、図６に示す。図６においては、設定情報(1)に対する記録領域ＩＤは「識別ＩＤ(1)」のフォルダに設定され、設定情報(2)に対する記録領域ＩＤは「定期巡回(1)」のフォルダに設定され、設定情報(3)に対する記録領域ＩＤは「定期巡回(2)」のフォルダに設定され、いずれの設定情報にも該当しない「規定」に対する記録領域ＩＤは「緊急領域」のフォルダに設定されている。
【０１２２】
このように設定情報が記録された状態で、本実施形態において監視カメラ１０−１〜１０−ｎで撮影した映像を記録する場合の主な動作は、第１実施形態で説明した図２のフローチャートのステップＳ３の符号化データの記録処理を除いては同様であるため、同一部分の詳細な説明は省略する。
【０１２３】
ステップＳ３において、イベントの発生が検知されていない通常状態のときに符号化データが生成されると、監視映像記録部２０３ａ内の通常状態の符号化データを含むファイルデータを記録する領域がＣＰＵ２０６の制御により選択され、この領域に当該ファイルデータが記録される。この通常状態の符号化データは重要度が低く且つ上書き可能な設定で管理され、ファイルデータは一定の容量の領域に繰り返し上書きされることにより記録される。
【０１２４】
また、イベントの発生が検知されたときにＣＰＵ２０６で実行される重要度に基づいた記録制御処理については、図４のフローチャートのステップＳ１６およびステップＳ１９の処理を除いては第１実施形態で説明した処理と同様であるため、詳細な説明は省略する。
【０１２５】
図４のステップＳ１６およびステップＳ１９において管理情報が生成される際は、該当する設定情報があるか、該当する設定情報があればこの設定情報の種別は何かがＣＰＵ２０６において判定され、この判定結果に基づいて監視映像記録部２０３ａ内の記録領域が選択され、管理情報に付加されて記録される。この監視映像記録部２０３ａの記録領域は、設定情報に該当しないイベントが発生したときの符号化データを含むファイルデータを記録する領域、設定情報に該当するイベントが発生したときの符号化データを含むファイルデータを種別ごとに記録する領域等に分類された記録領域から選択される。
【０１２６】
記録された管理情報の例を、図７に示す。図７に示す管理情報には、図５に示した管理情報に加え、設定情報別に設けられた記録先のフォルダ領域の情報である「記録領域ＩＤ」と、このフォルダ領域内で識別されるファイルデータ名の情報である「ファイルＩＤ」とが記録されている。
【０１２７】
ここでは、「設定情報(2)」に該当する符号化データを含むファイルデータはフォルダ「定期巡回(1)」の中にファイルデータ名「定期(1-1)」、「定期(1-2)」・・・で記録され、「設定情報(3)」に該当する符号化データを含むファイルデータはフォルダ「定期巡回(2)」の中にファイルデータ名「定期(2-1)」、「定期(2-2)」・・・で記録されることが示されている。
【０１２８】
また、既に削除された管理情報についても記録を残すことで、重要度を判定する際の精度が高くなるように設定されている。
【０１２９】
また、ＣＰＵ２０６によるステップＳ１７以降の処理は、選択された記録領域内に対して実行される。
【０１３０】
以上の本実施形態によれば、管理情報には符号化データを含むファイルデータの記録領域の情報が記録されているため、監視映像記録部２０３ａに記録された映像データを再生する際は、ユーザは管理情報を参照するのみで記録済みの符号化データの重要度や所望の映像を特定し再生させることができる。
【０１３１】
なお、本実施形態においてはイベントの種別ごとに記録するフォルダ領域の情報「記録領域ID」を項目として有する構成で説明を行ったが、前記の「記録領域ID」を使用せず、「ファイルID」のみで管理する構成をとっても良い。
【０１３２】
《第３実施形態》
本発明の第３実施形態による監視システムは、監視映像処理装置２０の記録部２０３に記録された管理情報を、更新権限保持者により変更することを可能にしたものである。
【０１３３】
〈第３実施形態による監視システムの構成〉
本実施形態による監視映像処理装置２０の構成は第２実施形態と同様であるため、同一の機能を有する処理部については詳細な説明は省略する。第２実施形態と異なる機能は以下のとおりである。
【０１３４】
ＣＰＵ２０６（管理情報更新部）は、イベントが発生したか、イベントが発生したときには該当する設定情報があるか、および設定情報があればこの設定情報の種別は何かを判定し、判定した種別に応じて設定された、管理情報の更新権限保持者を識別する情報を、管理情報内の情報として管理情報記録部２０３ｃに記録する。
【０１３５】
また、ＣＰＵ２０６は、符号化データを含むファイルデータを監視映像記録部２０３ａに記録する際に、更新権限保持者から記録処理解除の指示を取得したときには、該当する管理情報およびファイルデータを削除する。
【０１３６】
また、ＣＰＵ２０６は、符号化データを再生した際に、更新権限保持者から管理情報の更新指示を取得したときには、該当する管理情報を当該指示にしたがって更新する。
【０１３７】
〈第３実施形態による監視システムの動作〉
次に、本実施形態による監視システム１の動作について説明する。
【０１３８】
本実施形態においては監視システム１が大規模であり、複数の監視者によって巡回と監視が同時に行われているものとする。
【０１３９】
本実施形態においては設定情報として、図６に示した情報に加え、記録された符号化データが再生された際に管理情報の更新の有無をユーザに自動で確認する更新確認自動要求を行うか否かを示す情報と、設定情報の種別ごとに設定された、管理情報の更新権限保持者を識別する情報とが記録されている。
【０１４０】
このように設定情報が記録された状態で、本実施形態において監視カメラ１０−１〜１０−ｎで撮影した映像を記録する場合の動作を図９のフローチャートを参照して説明する。
【０１４１】
図９において、ステップＳ３１〜Ｓ３４の処理は、図２のステップＳ１〜Ｓ４の処理と同様であるため、詳細な説明は省略する。
【０１４２】
また、イベントの発生が検知されたときにＣＰＵ２０６で実行される重要度に基づいた記録制御処理（Ｓ３５）については、図４のフローチャートのステップＳ１６およびステップＳ１９の処理を除いては第１実施形態で説明した処理と同様であるため、詳細な説明は省略する。
【０１４３】
図４のステップＳ１６およびステップＳ１９において管理情報が生成される際は、該当する設定情報があるか、該当する設定情報があればこの設定情報の「更新権限保持者」の情報がＣＰＵ２０６で取得され、該当する管理情報に付加されて記録される。
【０１４４】
記録された管理情報の例を、図１０に示す。図１０に示す管理情報には、図７に示した管理情報に加え、設定情報から取得された「更新権限保持者」の情報が記録されている。
【０１４５】
ここでは、「設定情報(2)」に該当する「管理情報(1)」、「管理情報(2)」、「管理情報(4)」の更新権限保持者が「監視担当」であり、「設定情報「(3)」に該当する「管理情報(3)」、「管理情報(5)」、およびいずれの設定情報にも該当しない「管理情報(6)」の更新権限保持者が「管理者」であることが記録されている。
【０１４６】
図９に戻り、ステップＳ３５において重要度に基づいて管理情報および符号化データを含むファイルデータが記録された後、いずれかの監視者により当該イベントの重要度が低いと判断されたことにより管理情報変更指示が入力されると、ＣＰＵ２０６ではこの管理情報変更指示による信号が取得され（Ｓ３６の「YES」）、この管理情報変更指示の入力者が管理情報の更新権限保持者であるか否かを確認するためにパスワードあるいは識別ＩＤなどの識別情報を入力させる画面を表示させる。
【０１４７】
監視者により識別情報が入力されると、管理情報が参照され、この監視者が管理情報の更新権限保持者であるか否かが判断される（Ｓ３７）。
【０１４８】
管理情報の更新権限保持者であると判断されたときには（Ｓ３７の「YES」）、当該管理情報が通常状態の情報として更新され、記録された符号化データを含むファイルデータが上書き可能かつ重要度が最低ランクに変更される（Ｓ３８）。
【０１４９】
管理情報の更新権限保持者により、一の管理情報の内容が変更されたときの例を図１１に示す。図１１においては、管理情報(6)の重要度が更新権限保持者により削除される。
【０１５０】
この場合には、処理を簡略化するために記録領域IDおよびファイルIDの更新は行わず、重要度のみを変更することで次回のイベント発生時にこの記録領域を優先的に上書きに利用するよう制御を行うこととする。
【０１５１】
なお、この記録制御処理においては、記録解除指示信号の検出を行うステップＳ３６と、管理情報変更信号について権限の分析を行うステップＳ３７との実行順序を入れ替えても同様の処理を行うことができる。
【０１５２】
一方で、同時に複数箇所で監視が行われていない場合や、イベント発生時にその場で状況の確認を行うことができず管理情報変更指示が検出されない場合は（Ｓ３６の「NO」）、後から再生を行いイベント発生時の状況を確認することになるため、管理情報の更新は行われない。
【０１５３】
また、記録解除指示が検出された場合において（Ｓ３６の「YES」）、管理情報変更指示の入力者が管理情報を更新する権限を持つ更新権限保持者でない場合は（Ｓ３７の「NO」）、管理情報の更新は行われない。
【０１５４】
このように、記録時に別の監視者による精度の高い重要度判定を行うことで、次回に同様のアラーム信号が発生した場合に、記録領域を効率的に使用するために利用される他、再生する場合の検索効率をより高めることができる。
【０１５５】
以上で、本実施形態による監視システム１における監視カメラ１０−１〜１０−ｎで撮影した映像を記録するときの動作の説明を終了する。
【０１５６】
次に、ユーザによる入力部２０４の操作により、上述した処理で記録部２０３の監視映像記録部２０３ａに記録された映像データが再生される際の処理について、図１２のフローチャートを参照して説明する。
【０１５７】
監視映像処理装置２０では、監視映像の記録を行いながら、同時にユーザからの再生指示の監視を行っている（Ｓ４１）。
【０１５８】
再生させる映像データが監視映像記録部２０３ａ内から選択される際は、管理情報記録部２０３ｃに保存されている管理情報が参照され、再生指示が入力される。
【０１５９】
入力部２０４から再生指示が入力されると（Ｓ４２の「YES」）、ＣＰＵ２０６においてこの再生指示が取得され、該当する監視映像の符号化データがＣＰＵ２０６の制御によって監視映像記録部２０３ａから読み出される（Ｓ４３）。
【０１６０】
読み出された符号化データは伸張処理部２０７において伸張処理が行われて監視映像データに復号され、出力信号処理部２０８において出力する監視用モニタ３０の入力フォーマットに合わせて例えばＮＴＳＣ信号方式等に変換される（Ｓ４４）。
【０１６１】
このとき、管理情報記録部２０３ｃに記録されている管理情報のうち、ステップＳ４４で読み出された監視映像の符号化データに関連する情報がＣＰＵ２０６の制御により読み出され、キャラクタデータに変換されて出力信号処理部２０８に送出される（Ｓ４５）。
【０１６２】
出力信号処理部２０８からは監視映像データおよび付加情報のキャラクタデータがスーパーインポーズされた状態で監視用モニタ３０に送出され表示される。
【０１６３】
ユーザにより指定された符号化データの再生処理が終了すると、ＣＰＵ２０６により設定情報が参照され、管理情報の更新の有無をユーザに自動で確認する設定であるかが判断される（Ｓ４６）。
【０１６４】
設定情報の内容が、管理情報の更新確認の有無の確認を自動で行う設定である場合は（Ｓ４６の「YES」）、ユーザに管理情報の重要度の更新を行うか否かの確認をするための画面を監視用モニタ３０に表示させる。
【０１６５】
ユーザにより、管理情報の重要度の更新を行う指示が行われた場合には（Ｓ４７の「YES」）、指示の操作を行ったユーザにパスワードあるいは識別ＩＤなどの認証情報を入力させ、管理情報記録部２０３ｃに保存されている管理情報の更新権限保持者を含む管理情報が参照されてこのユーザが管理情報を更新する権限を持つか否かが判断される（Ｓ４８）。
【０１６６】
このユーザが管理情報を更新する権限を持つと判断された場合は（Ｓ４８の「YES」）、管理情報が更新され、次回に同様のイベント発生による管理情報が生成された場合に参照される（Ｓ４９）。
【０１６７】
なお、管理情報の更新指示の有無の判断を行うステップＳ４６、Ｓ４７と、ユーザの権限の分析を行うステップＳ４８との実行順序を入れ替えても同様の処理を行うことができる。
【０１６８】
一方で、設定情報の内容が管理情報の更新確認を自動で行わない設定である場合や（Ｓ４６の「NO」）、ユーザによる管理情報の重要度の更新を行う指示が行われなかった場合や（Ｓ４７の「NO」）、ユーザの権限が、管理情報を更新するために十分でなかった場合には（Ｓ４８の「YES」）、管理情報の更新は行われない。
【０１６９】
なお、本実施形態では再生処理の終了時に管理情報の更新確認を自動で行う処理について述べたが、管理情報の更新はユーザの指示により任意のタイミングで行うことも可能である。
【０１７０】
以上の本実施形態によれば、予め設定された更新権限保持者により重要度管理情報が更新されるため、さらに精度良く重要度の高い撮影データが優先され、保存される。
【０１７１】
なお、本実施形態において管理情報は、ＣＰＵ２０６における分析結果および実際に記録する記録領域の情報を統合した管理情報として管理情報記録部２０３ｃに送出され記録される形態について説明を行ったが、上記の管理情報は、映像信号の符号化データに多重され、監視映像記録部２０３ａに記録されるようにしてもよい。
【０１７２】
また、第１実施形態〜第３実施形態における設定情報は、単独の項目について設定を行うほか、複数の項目を関連付けて一つの設定を行っても良いし、監視映像処理装置の全体動作あるいは初期動作に関する設定情報を別項目として分離して管理を行っても良い。
【０１７３】
また、設定情報のそれぞれの項目は、ユーザにより重要度の設定および変更を行うことができる他、ユーザにより設定された優先順位の付け方により、重要度の重み付けを行うことができる。
【０１７４】
また、第１実施形態〜第３実施形態においては、記録部は監視映像処理装置に内蔵された構成としたが、外部の記録装置に設けるようにしてもよい。
【０１７５】
また、第１実施形態〜第３実施形態においては、記録部は１つの構成としたが、これには限定されず、２つ以上の記録媒体にそれぞれ記録部を設け、第１の記録媒体には上書きする映像データを記録し、上書き以外の重要度の高い映像データは第２以降の記録媒体に転送するなどのように構成してもよい。
【０１７６】
あるいは、第１の記録媒体には小容量で高速である媒体を利用して管理情報や設定情報を記録し、第２以降の記録媒体には大容量の媒体を利用して監視映像データを記録するように構成しても良い。
【０１７７】
また、第１実施形態〜第３実施形態においては、監視エリアにおけるイベント発生の検出に監視映像処理装置の外部に設置したセンサを用いたが、これには限定されず、監視カメラで撮影され入力された監視映像データ内の動きを検出することにより検出するようにしてもよい。
【０１７８】
また、第１実施形態〜第３実施形態においては、監視カメラはアナログ映像信号を出力するビデオカメラとし、撮影した監視映像の映像信号を監視映像処理装置に送信するようにしたが、これには限定されず、複数の監視カメラをそれぞれ監視映像処理装置にネットワークを介して接続されたデジタルカメラで構成することにより、監視映像処理装置に監視映像データを送信するようにしてもよい。このようにネットワークを構成するときには、監視カメラ内でＪＰＥＧデータ等の符号化データに変換して監視映像処理装置に供給することが好ましい。
【０１７９】
さらにまた、上記のネットワークを介した監視システムの場合は、第３実施形態における記録解除指示および管理情報の重要度の更新を行う指示は、ネットワーク上に存在する監視映像処理装置の外部装置から行っても良い。
【図面の簡単な説明】
【０１８０】
【図１】本発明に係る監視映像記録制御装置の第１実施形態〜第３実施形態である監視映像処理装置２０を利用した監視システム１の構成を示すブロック図である。
【図２】本発明に係る監視映像記録制御装置の第１実施形態および第２実施形態である監視映像処理装置２０により、映像データが入力されたときの動作を示すフローチャートである。
【図３】本発明に係る監視映像記録制御装置の第１実施形態である監視映像処理装置２０において記録される設定情報の一例を示す表である。
【図４】本発明に係る監視映像記録制御装置の第１実施形態および第２実施形態である監視映像処理装置２０により、映像データが記録されるときのＣＰＵ２０６の動作を示すローチャートである。
【図５】（Ａ）〜（Ｆ）は、本発明に係る監視映像記録制御装置の第１実施形態である監視映像処理装置２０において記録された管理情報の一例を示す表である。
【図６】本発明に係る監視映像記録制御装置の第２実施形態である監視映像処理装置２０において記録される設定情報の一例を示す表である。
【図７】本発明に係る監視映像記録制御装置の第２実施形態である監視映像処理装置２０において記録された管理情報の一例を示す表である。
【図８】本発明に係る監視映像記録制御装置の第３実施形態である監視映像処理装置２０において記録される設定情報の一例を示す表である。
【図９】本発明に係る監視映像記録制御装置の第３実施形態である監視映像処理装置２０により、映像データが入力されたときの動作を示すフローチャートである。
【図１０】本発明に係る監視映像記録制御装置の第２実施形態である監視映像処理装置２０において記録された管理情報の一例を示す表である。
【図１１】本発明に係る監視映像記録制御装置の第２実施形態である監視映像処理装置２０において更新された管理情報の一例を示す表である。
【図１２】本発明に係る監視映像記録制御装置の第１実施形態および第２実施形態である監視映像処理装置２０により、映像データが再生されるときのＣＰＵ２０６の動作を示すフローチャートである。
【符号の説明】
【０１８１】
１…監視システム
１０−１〜１０−ｎ…監視カメラ
２０…監視映像処理装置
３０…監視用モニタ
４０−１〜４０−ｍ…センサ
２０１…入力信号処理部
２０２…圧縮処理部
２０３…記録部
２０３ａ…監視映像記録部
２０３ｂ…設定情報記録部
２０３ｃ…管理情報記録部
２０４…入力部
２０５…時刻情報管理部
２０６…ＣＰＵ
２０７…伸張処理部
２０８…出力信号処理部
【図１】
2008154228.tif 000003
【図２】
2008154228.tif 000004
【図３】
2008154228.tif 000005
【図４】
2008154228.tif 000006
【図５】
2008154228.tif 000007
【図６】
2008154228.tif 000008
【図７】
2008154228.tif 000009
【図８】
2008154228.tif 000010
【図９】
2008154228.tif 000011
【図１０】
2008154228.tif 000012
【図１１】
2008154228.tif 000013
【図１２】
2008154228.tif 000014